(57)【特許請求の範囲】
【請求項１】
揺動する接極子の両端部にそれぞれ面する二つの吸着部間に永久磁石による磁路を形成する継鉄と電磁コイルによる磁路を形成する継鉄とが相互に並列に接続される継鉄体を備えるとともに、前記永久磁石による磁路を形成する継鉄によって当該接極子を支持する電磁リレーにおいて、
前記継鉄体を複数の分割体を組み合わせて構成するとともに、
前記複数の分割体のうちいずれか一つが、少なくとも一つの前記吸着部と前記永久磁石による磁路を形成しかつ接極子を支持する継鉄とを一体に含むことを特徴とする電磁リレー。
【請求項２】
前記複数の分割体のうちいずれか一つが、二つの前記吸着部と前記永久磁石による磁路を形成しかつ接極子を支持する継鉄とを一体に含むことを特徴とする請求項１に記載の電磁リレー。
【請求項３】
少なくとも一つの前記吸着部と前記永久磁石による磁路を形成しかつ接極子を支持する継鉄とを一体化した前記分割体には、前記電磁コイルによる磁路を形成する継鉄の一部が屈曲した状態で連接されており、
当該永久磁石による磁路を形成しかつ接極子を支持する継鉄と当該電磁コイルによる磁路を形成する継鉄の一部との境界部に、前記接極子の端部側に向けて起立する起立部を形成し、当該起立部の先端部を前記吸着部としたことを特徴とする請求項１または２に記載の電磁リレー。
【請求項４】
少なくとも一つの前記吸着部と前記永久磁石による磁路を形成しかつ接極子を支持する継鉄とを一体化した前記分割体には、前記電磁コイルによる磁路を形成する継鉄の一部が屈曲した状態で連接されており、
当該永久磁石による磁路を形成しかつ接極子を支持する継鉄と当該電磁コイルによる磁路を形成する継鉄の一部との境界部を、前記接極子の端部側に向けて突出するように屈曲させて突出部を形成し、当該突出部の突出端部を前記吸着部としたことを特徴とする請求項１または２に記載の電磁リレー。
【請求項５】
前記複数の分割体同士を相互に結合するようにしたことを特徴とする請求項１〜４のうちいずれか一つに記載の電磁リレー。
【請求項６】
前記複数の分割体のうち少なくとも一つに、電磁コイルの巻線内側に挿抜可能な棒状部を設け、当該棒状部を電磁コイルの軸心部分としたことを特徴とする請求項５に記載の電磁リレー。
【発明の詳細な説明】
【技術分野】
【０００１】
本発明は、電磁リレーに関する。
【背景技術】
【０００２】
従来、性能、コスト面で優れた電磁リレーとして、接極子を揺動させる方式のラッチング型の電磁リレーが知られている（例えば特許文献１）。
【０００３】
この特許文献１に開示される電磁リレーは、永久磁石によって規定される接極子の揺動姿勢を電磁コイルを用いて切り換え、当該接極子の揺動姿勢の変化に応じてスイッチのオン・オフを切り換えるものである。
【０００４】
すなわち、継鉄の両端部をそれぞれ接極子の両端部に対向させるとともに、継鉄の両端部間で、永久磁石による磁路を形成する部分と、電磁コイルによる磁路を形成する部分とが並列に接続されるようにして、永久磁石による磁路を形成することで接極子を一方側に揺動保持させる一方、電磁コイルに電流を流して磁路を形成することで接極子を他方側に揺動させるようにしてある。そして、揺動姿勢を変化させた後は、当該接極子の揺動姿勢は、永久磁石による磁路（ただし姿勢変化前とは別の磁路）によって保持される。
【０００５】
かかる電磁リレーでは、各揺動姿勢を確実に保持することが求められる。揺動姿勢を保持できなければ、例えば外部からの衝撃等によって揺動姿勢が不安定になり、不本意にスイッチのオン・オフ状態を安定的に維持できなくなってしまうおそれがあるからである。
【０００６】
揺動姿勢を保持するには、永久磁石による磁路が形成された状態で接極子の端部と継鉄の端部との間で生じる磁気的吸引力を大きく確保することが肝要である。
【特許文献１】特開２００１−１２６６０１号公報
【発明の開示】
【発明が解決しようとする課題】
【０００７】
上記磁気的吸引力が小さくなる要因の一つとして、接極子と継鉄とが真っ直ぐに当接せず、斜めに当接してしまうことが考えられる。斜めに当接すると、接極子と継鉄との間のギャップが大きくなり、磁気的吸引力が低下してしまう。
【０００８】
ここで、特許文献１の電磁リレーでは、永久磁石による磁路を形成する部分（特許文献１の補助継鉄１４３）によって接極子を揺動支持する一方、接極子と面する部分は当該補助継鉄とは別の部材（同、継鉄１３１）によって構成されている。
【０００９】
このように、継鉄において、接極子を支持する部分と、接極子に面する部分とをそれぞれ別個の部品で構成した場合には、それら部品同士を接続する部分の寸法公差等によって、接極子と継鉄とが傾斜した状態で当接してしまうおそれがある。
【００１０】
そこで、本発明は、継鉄と接極子との姿勢のずれを小さくして、継鉄と接極子との間でより確実に所望の磁気的吸引力を生じさせることができる電磁リレーを得ることを目的とする。
【課題を解決するための手段】
【００１１】
請求項１の発明にあっては、揺動する接極子の両端部にそれぞれ面する二つの吸着部間に永久磁石による磁路を形成する継鉄と電磁コイルによる磁路を形成する継鉄とが相互に並列に接続される継鉄体を備えるとともに、上記永久磁石による磁路を形成する継鉄によって当該接極子を支持する電磁リレーにおいて、上記継鉄体を複数の分割体を組み合わせて構成するとともに、上記複数の分割体のうちいずれか一つが、少なくとも一つの上記吸着部と上記永久磁石による磁路を形成しかつ接極子を支持する継鉄とを一体に含むことを特徴とする。
【００１２】
請求項２の発明にあっては、上記複数の分割体のうちいずれか一つが、二つの上記吸着部と上記永久磁石による磁路を形成しかつ接極子を支持する継鉄とを一体に含むことを特徴とする。
【００１３】
請求項３の発明にあっては、少なくとも一つの上記吸着部と上記永久磁石による磁路を形成しかつ接極子を支持する継鉄とを一体化した上記分割体には、上記電磁コイルによる磁路を形成する継鉄の一部が屈曲した状態で連接されており、当該永久磁石による磁路を形成しかつ接極子を支持する継鉄と当該電磁コイルによる磁路を形成する継鉄の一部との境界部に、上記接極子の端部側に向けて起立する起立部を形成し、当該起立部の先端部を上記吸着部としたことを特徴とする。
【００１４】
請求項４の発明にあっては、少なくとも一つの上記吸着部と上記永久磁石による磁路を形成しかつ接極子を支持する継鉄とを一体化した上記分割体には、上記電磁コイルによる磁路を形成する継鉄の一部が屈曲した状態で連接されており、当該永久磁石による磁路を形成しかつ接極子を支持する継鉄と当該電磁コイルによる磁路を形成する継鉄の一部との境界部を、上記接極子の端部側に向けて突出するように屈曲させて突出部を形成し、当該突出部の突出端部を上記吸着部としたことを特徴とする。
【００１５】
請求項５の発明にあっては、上記複数の分割体同士を相互に結合するようにしたことを特徴とする。
【００１６】
請求項６の発明にあっては、上記複数の分割体のうち少なくとも一つに、電磁コイルの巻線内側に挿抜可能な棒状部を設け、当該棒状部を電磁コイルの軸心部分としたことを特徴とする。
【発明の効果】
【００１７】
請求項１の発明によれば、継鉄体をなす複数の分割体のうちいずれか一つに、少なくとも一つの吸着部と接極子を支持する継鉄（永久磁石による磁路を形成する継鉄）とを一体化させたため、当該吸着部と接極子の支持部とがそれぞれ別の部品に形成された場合に比べて吸着部と接極子との姿勢のずれを小さくできすることができ、以て、当該ずれに伴う磁気的吸引力の低下を抑制して、オンまたはオフのうち少なくともいずれか一方の場合について、接極子の揺動姿勢をより確実に保持することができるようになる。
【００１８】
請求項２の発明によれば、継鉄体をなす複数の分割体のうちいずれか一つに、二つの吸着部と接極子を支持する継鉄（永久磁石による磁路を形成する継鉄）とを一体化させたため、当該吸着部と接極子の支持部とがそれぞれ別の部品に形成された場合に比べて吸着部と接極子との姿勢のずれを小さくできすることができ、以て、当該ずれに伴う磁気的吸引力の低下を抑制して、オンおよびオフの両方について、接極子の揺動姿勢をより確実に保持することができるようになる。
【００１９】
請求項３の発明によれば、少なくとも一つの吸着部と接極子を支持する継鉄（永久磁石による磁路を形成する継鉄）と電磁コイルによる磁路を形成する継鉄の一部との境界部を接極子側に向けて起立させ、当該起立した部分（起立部）の先端部を吸着部とすることで、吸着部を比較的容易に形成することができて、製造コストを低減することができる。また、起立部の幅や高さを変化させることで、磁気的吸引力を容易に調整できるという利点もある。
【００２０】
請求項４の発明によれば、少なくとも一つの吸着部と接極子を支持する継鉄（永久磁石による磁路を形成する継鉄）と電磁コイルによる磁路を形成する継鉄の一部との境界部を接極子側に向けて突出させつつ屈曲させ、当該突出させた部分（突出部）の突出端部を吸着部とすることで、吸着部を比較的容易に形成することができて、製造コストを低減することができる。また、突出部の形状や高さを変化させることで、磁気的吸引力を容易に調整できるという利点もある。
【００２１】
請求項５の発明によれば、複数の分割体同士を直接結合して継鉄体を組み立てるようにしたため、別の部材を介して分割体を結合する場合に比べて、部品点数が減ってより容易に組み立てることができるようになる上、二つの吸着部の位置や姿勢のずれを小さくして、スイッチオン・スイッチオフの双方について、磁気的吸引力の低下を抑制することができるようになるという利点がある。
【００２２】
請求項６の発明によれば、分割体に設けた棒状部を別途構成された電磁コイルの巻線内側に差し込んで分割体同士を結合するだけで、電磁コイルが継鉄体に組み込まれた状態を得ることができるため、より容易に製造できるようになり、製造コストを低減することができる。
【発明を実施するための最良の形態】
【００２３】
以下、本発明の実施形態について図面を参照しながら詳細に説明する。
【００２４】
（第１実施形態）図１は、本実施形態にかかる電磁リレーの分解斜視図、図２は、電磁リレーにおけるオン・オフの切り換えを示す模式図、図３は、複数の分割体が相互に傾いた姿勢で組み立てられた状態を示す図であって、（ａ）は、接極子の長手方向一方側から見た図、（ｂ）は、接極子の幅方向に見た図、（ｃ）は、接極子の長手方向他方側から見た図である。
【００２５】
まずは、図１を参照しながら、電磁リレー１の構成について説明する。
【００２６】
本実施形態にかかる電磁リレー１は、継鉄体２０に揺動支持される接極子３を備え、その二極の揺動姿勢によってスイッチのオン状態とオフ状態とが切り換えられるようになっており、当該接極子３とともに、複数の分割体１０Ａ，１０Ｂを相互に結合してなる継鉄体２０（図２参照）、永久磁石２、ヒンジバネ６、および電磁コイル７を備えてなるものである。
【００２７】
分割体１０Ａは、端壁部１０Ａａと上側架橋部４とを略直角に連接してなるもので、それら端壁部１０Ａａと上側架橋部４との境界部の一部を切り起こして起立部１０Ａｃを形成してある。かかる形状の分割体１０Ａは、板状部材を所定形状に型抜きあるいは切削加工した後、折り曲げ成形することで得ることができる。起立部１０Ａｃは、当該境界部に予め切欠４ｅを設けた状態で折り曲げ成形することで、容易に形成することができる。
【００２８】
もう一つの分割体１０Ｂは、端壁部１０Ｂａと下側架橋部１０Ｂｂとを略直角に連接してなるもので、板状部材を所定形状に型抜きあるいは切削加工した後、折り曲げ成形して得ることができる。
【００２９】
そして、本実施形態では、分割体１０Ａの端壁部１０Ａａに形成した矩形の貫通孔１０Ａｂに、分割体１０Ｂの下側架橋部１０Ｂｂの先端部に形成した矩形断面の突起１０Ｂｄを嵌挿する一方、分割体１０Ｂの端壁部１０Ｂａに形成した矩形の貫通孔１０Ｂｃに、分割体１０Ａの上側架橋部４の先端部に形成した矩形断面の突起４ｄを嵌挿することで、二つの分割体１０Ａ，１０Ｂを相互に直接的に結合し、以て、端壁部１０Ａａ、上側架橋部４、端壁部１０Ｂａ、および下側架橋部１０Ｂｂを四辺とする略ロの字状（略長方形状）の継鉄体２０が構成される。
【００３０】
また、本実施形態では、分割体１０Ａ，１０Ｂを組み立てる際に電磁コイル７が装備される。すなわち、電磁コイル７は、一対の矩形板状のフランジ７ａ，７ａ間に導線を巻回してなるボビン７ｂを備えるとともに、ボビン７ｂの巻回軸心に沿って矩形断面の貫通孔７ｃが形成してある。そして、この貫通孔７ｃに、分割体１０Ｂの下側架橋部１０Ｂｂを一方のフランジ７ａ側から他方のフランジ７ａ側に貫通させることで、電磁コイル７が下側架橋部１０Ｂｂに装備される。すなわち、本実施形態では、下側架橋部１０Ｂｂが、電磁コイル７の軸心部分に相当し、かつ電磁コイル７の巻線内側（貫通孔７ｃ）に挿抜可能な棒状部に相当することになる。
【００３１】
こうして構成された継鉄体２０の上側架橋部４上に、永久磁石２および接極子３が装着される。これらは、ヒンジバネ６を利用して装着される。
【００３２】
すなわち、上側架橋部４の上面４ａ上の長手方向略中央となる位置に、略矩形板状の永久磁石２が載置され、さらに当該永久磁石２の上面２ａ上に、上側架橋部４の長手方向に沿うように、接極子３が載置される。この接極子３は帯板状に形成され、その長手方向中央部には、下方に向けて突出するように屈曲部３ａが形成されており、この屈曲部３ａが永久磁石２の上面２ａの略中央部に位置するように配置される。屈曲部３ａの下面は曲面をなしており、この曲面が永久磁石２の上面２ａ上で転動することにより、接極子３が揺動し、その揺動姿勢（角度）が変化するようになっている。
【００３３】
そして、ヒンジバネ６が、接極子３を幅方向に跨いで上側架橋部４の幅方向両端部間に架設され、永久磁石２と接極子３とを上側架橋部４の上面４ａ上に適度な押圧力で押さえつけている。すなわち、ヒンジバネ６の一対の側壁部６ａ，６ａの先端側には、それぞれ矩形の貫通孔６ｅ，６ｅが形成される一方、上側架橋部４の幅方向両端面には、矩形断面の突起４ｆ，４ｆが形成されており、この突起４ｆ，４ｆをそれぞれ貫通孔６ｅ，６ｅに挿通して係合することで、ヒンジバネ６が上側架橋部４に係止されるようになっている。
【００３４】
また、各側壁部６ａ長手方向略中央部には、その両端縁を他方の側壁部６ａ側に切り起こすようにして一対の挟持片６ｄ，６ｄが立設されており、この挟持片６ｄ，６ｄによって永久磁石２の側面を挟持するようになっている。
【００３５】
さらに、一対の相互に対向する側壁部６ａ，６ａ同士を繋ぐ架橋部６ｆと略十字をなすように、一対の押圧片６ｂ，６ｂが相反方向に延設されており、これら押圧片６ｂ，６ｂが接極子３の延設方向（長手方向）に略沿って、当該接極子３ならびに永久磁石２を上側架橋部４に押さえつけるようにしてある。押圧片６ｂ，６ｂには、それぞれ係止孔６ｃ，６ｃが穿設されており、これら係止孔６ｃ，６ｃに接極子３の上面から突出した係止突起３ｆ，３ｆを挿入することで、ヒンジバネ６と接極子３とが相互に係止するようになっている。
【００３６】
次に、図２を参照しながら、電磁リレー１の各部の機能と動作について説明する。
【００３７】
図２の（ａ）に示すように、各部品がアセンブリされると、分割体１０Ａの起立部１０Ａｃの端部（先端部）５ａが接極子３の長手方向一方側の端部３ｄに面し、かつ分割体１０Ｂの端壁部１０Ｂａの端部５ｂが接極子３の長手方向他方側の端部３ｅに面することになる。
【００３８】
永久磁石２は、本実施形態では、接極子３に当接する側がＮ極、上側架橋部４に当接する側がＳ極となるように配置される。
【００３９】
よって、かかる構成では、図２の（ａ）に示すように、永久磁石２による二つの磁路φ１，φ２が形成される。
【００４０】
すなわち、磁路φ１は、永久磁石２のＮ極側から、接極子３の屈曲部３ａ（揺動支点）より長手方向一方側の部分（以下、便宜上、アーム部と称する）３ｂ、アーム部３ｂの端部３ｄ、起立部１０Ａｃの端部５ａ、起立部１０Ａｃ、および上側架橋部４の長手方向中央より端部５ａ側の部分４ｂをこの順に経由して、永久磁石２のＳ極に戻る経路となる。
【００４１】
一方、磁路φ２は、永久磁石２のＮ極側から、接極子３の屈曲部３ａより長手方向他方側のアーム部３ｃ、アーム部３ｃの端部３ｅ、端壁部１０Ｂａの端部５ｂ、端壁部１０Ｂａ、および上側架橋部４の長手方向中央より端部５ｂ側の部分４ｃをこの順に経由して、永久磁石２のＳ極に戻る経路となる。
【００４２】
これら永久磁石２による磁路φ１，φ２が形成されることで、接極子３の一方側の端部３ｄと起立部１０Ａｃの端部５ａとの間には磁気的吸引力Ｆ１が作用するとともに、接極子３の他方側の端部３ｅと端壁部１０Ｂａの端部５ｂとの間には磁気的吸引力Ｆ２が作用することになるが、図２の（ａ）の揺動姿勢では、端部３ｄと端部５ａとの間のギャップが端部３ｅと端部５ｂとの間のギャップより狭いため、Ｆ１がＦ２より十分に大きくなる（Ｆ１＞＞Ｆ２）。
【００４３】
したがって、図２の（ａ）の状態では、接極子３は、永久磁石２によって継鉄体２０に形成される磁路φ１，φ２により、そのアーム部３ｂの端部３ｄ側が継鉄体２０側に近接（当接）し、かつアーム部３ｃの端部３ｅ側が継鉄体２０側から離間するように傾斜した姿勢（図２の（ａ）では右上がりとなる揺動姿勢）で保持される。
【００４４】
すなわち、本実施形態では、分割体１０Ａの上側架橋部４が、永久磁石２による磁路φ１，φ２を形成する継鉄に相当する。そして、図２（ａ）の揺動姿勢に対して、スイッチのオンまたはオフが割り当てられる。
【００４５】
この状態で、電磁コイル７を通電すると、図２の（ｂ）に示すように、継鉄体２０には当該電磁コイル７による磁路φ３が発生する。この磁路φ３は、電磁コイル７におけるリード線の巻回方向および電流の印加方向を調整することで、磁気的吸引力Ｆ１を減殺し、かつ磁気的吸引力Ｆ２を増大するように設定される。
【００４６】
すなわち、磁路φ３は、電磁コイル７を貫通する下側架橋部１０Ｂｂにおいて、図２の（ｂ）では左側に向かい、分割体１０Ａの端壁部１０Ａａ、起立部１０Ａｃ、端部５ａ、接極子３の端部３ｄ、アーム部３ｂ、アーム部３ｃ、端部３ｅ、分割体１０Ｂの端壁部１０Ｂａの端部５ｂ、および端壁部１０Ｂａをこの順に経由して、電磁コイル７に戻る経路となる。
【００４７】
このため、継鉄体２０の端部５ａ側では、磁路φ１と磁路φ３とが相互に逆方向となり、他方の端部５ｂ側では、磁路φ１と磁路φ２とが相互に同一方向となるため、端部５ａ側における磁気的吸引力Ｆ１は小さくなってＦ１’（Ｆ１’＜Ｆ１）となり、逆に端部５ｂ側における磁気的吸引力Ｆ２は大きくなってＦ２’（Ｆ２’＞Ｆ２）となるが、このとき、本実施形態では、磁気的吸引力の大小関係が逆転して、Ｆ２’＞Ｆ１’となるようにしてある。
【００４８】
したがって、接極子３は、図２の（ｃ）に示すように、アーム部３ｃの端部３ｅ側が継鉄体２０側に近接（当接）し、かつアーム部３ｂの端部３ｄ側が継鉄体２０側から離間するように傾斜した姿勢（図２の（ｃ）では左上がりとなる揺動姿勢）に変化する。これにより、スイッチのオン・オフが切り換えられることになる。一例として、図２の（ａ）の揺動姿勢をオンに割り当てた場合には、図２の（ｃ）の揺動姿勢はオフとなる。
【００４９】
以上より、本実施形態では、分割体１０Ａの端壁部１０Ａａ、分割体１０Ｂの下側架橋部１０Ｂｂ、および端壁部１０Ｂａが、電磁コイル７による磁路φ３を形成する継鉄に相当することが理解できよう。
【００５０】
なお、一旦図２の（ｃ）の状態になると、上記図２の（ａ）について述べたのと全く同様の原理で、電磁コイル７に対する通電を停止しても、その状態が保持される。再度図２の（ａ）の状態に戻すには、電磁コイル７に逆方向の電流を通電させればよい。
【００５１】
以上のように、本実施形態では、二つの分割体１０Ａ，１０Ｂから継鉄体２０を構成しているが、分割体１０Ａ，１０Ｂ同士の結合部（接続部）等の寸法公差やばらつき等によっては、分割体１０Ａ，１０Ｂ同士が相互にずれた姿勢で組み立てられる場合もあり得る。一例として、図３の（ａ）に示すように、分割体１０Ａと分割体１０Ｂとが、下側架橋部１０Ｂｂの延伸軸に対してややねじれた状態に組み付けられる場合が想定される。
【００５２】
しかしながら、本実施形態では、接極子３を支持する上側架橋部４と、永久磁石２による磁路による揺動姿勢で接極子３の端部３ｄと当接（近接）する端部５ａとが、いずれも一つの分割体１０Ａの一部として構成されているため、図３の（ａ）から明らかとなるように、分割体１０Ａと分割体１０Ｂとのずれが生じたとしても、そのずれによって端部３ｄと端部５ａとの相対的なずれが大きくなることが無い。
【００５３】
以上のように、本実施形態によれば、継鉄体２０をなす複数の分割体のうちいずれか一つ（本実施形態では分割体１０Ａ）に、少なくとも一つの吸着部としての端部５ａと接極子３を支持する継鉄（永久磁石２による磁路を形成する継鉄；すなわち上側架橋部４）とを一体化させたため、複数の分割体１０Ａ，１０Ｂの組み立てに影響する寸法公差やばらつき等の影響を排除することができるようになり、これらの箇所をそれぞれ別個の部品に設けた場合に比べて、当該端部５ａと接極子３との姿勢のずれを小さくできすることができ、以て、当該ずれに伴う磁気的吸引力の低下を抑制して、接極子３の揺動姿勢をより確実に保持することができるようになる。
【００５４】
そして、本実施形態のように、吸着部として機能する両方の端部５ａ，５ｂのうちいずれか一つ（端部５ａ）のみを接極子３を支持する継鉄（すなわち上側架橋部４）とともに一つの分割体１０Ａに一体化させた場合には、スイッチ・オン状態がより確実に維持されるよう、当該端部５ａと接極子３の端部３ｄとが近接した揺動姿勢、すなわち図２の（ａ）の揺動姿勢をスイッチ・オンに割り当てるのが好適である。
【００５５】
また、本実施形態によれば、永久磁石２による磁路を形成する継鉄としての上側架橋部４と電磁コイル７による磁路を形成する継鉄の一部としての端壁部１０Ａａとの境界部を接極子３側に向けて起立させ、当該起立した部分（起立部１０Ａｃ）の端部（先端部）５ａを吸着部とすることで、当該吸着部を比較的容易に形成することができ、製造コストを低減することができる。また、起立部１０Ａｃの幅や高さを変化させることで、磁気的吸引力Ｆ１の大きさをより容易に調整できるという利点もある。
【００５６】
また、本実施形態によれば、継鉄体２０を略ロの字状に形成したため、電磁コイル７を装備する構造や、接極子３を支持する構造を比較的容易に構築することができるとともに、分割体１０Ａ，１０Ｂ同士を直接結合して継鉄体２０を組み立てるようにしたため、別の部材を介して分割体１０Ａ，１０Ｂを結合する場合に比べて、部品点数が減ってより容易に組み立てることができるようになる上、端部５ａ，５ｂ同士の位置や姿勢のずれを小さくして、スイッチオン・スイッチオフの双方の状態について、磁気的吸引力の低下を抑制することができるようになるという利点がある。
【００５７】
さらに、本実施形態によれば、分割体１０Ｂの下側架橋部１０Ｂｂを電磁コイル７の巻線内側（貫通孔７ｃ）に挿抜可能に構成するとともに、当該下側架橋部１０Ｂｂの端部を分割体１０Ａとの結合点としたため、別途アセンブリされた電磁コイル７の貫通孔７ｃに下側架橋部１０Ｂｂを挿入して分割体１０Ａ，１０Ｂ同士を結合するだけで、電磁コイル７を継鉄体２０に組み込むことができるようになり、従来のように継鉄体に一体成形して設けたボビンに導線を巻き付ける場合に比べて、工程の自由度が増大する上、タクトタイムを短縮でき、以て製造コストを低減することができる。
【００５８】
（第２実施形態）図４は、本実施形態にかかる電磁リレーの分解斜視図、図５は、電磁リレーを接極子の幅方向に見た模式図である。なお、本実施形態にかかる電磁リレー１Ａは、上記第１実施形態にかかる電磁リレー１と同様の構成要素を備えている。よって、以下では、それら同様の構成要素については共通の符号を付与するとともに、重複する説明を省略するものとする。
【００５９】
本実施形態では、上記第１実施形態の分割体１０Ａに対して端部５ａの構造が相違する分割体１１Ａを用いて継鉄体２１を構成したものである。この分割体１１Ａ以外の部品は、上記第１実施形態と全く同一である。
【００６０】
すなわち、本実施形態では、永久磁石２による磁路φ１、φ２を形成する継鉄としての上側架橋部４と電磁コイル７による磁路を形成する継鉄の一部（本実施形態では端壁部１１Ａａ）との境界部を接極子３側に向けて突出させつつ屈曲させ、当該突出させた部分（突出部）の端部（突出端部）５ａを吸着部としている。具体的には、分割体１１Ａを、端壁部１１Ａａの接極子３側の端部で当該接極子３に沿う方向に直角に折り曲げ、端部５ａの所要幅を確保して端壁部１１Ａａに沿う方向に直角に折り曲げ、さらに端部５ａの所要高さを確保して接極子３に沿う方向に直角に折り曲げることで、略クランク状に屈曲しながら接極子３側に突出した突出部１１Ａｃを形成している。
【００６１】
かかる構成によれば、折り曲げ加工のみによって、吸着部としての端部５ａを比較的容易に形成することができ、製造コストを低減することができる。また、この場合、当該突出部１１Ａｃの形状や高さを変化させることで、磁気的吸引力を容易に調整できるという利点もある。
【００６２】
（第３実施形態）図６は、本実施形態にかかる電磁リレーを接極子の幅方向に見た模式図である。なお、本実施形態にかかる電磁リレー１Ｂは、上記第１または第２実施形態にかかる電磁リレー１，１Ａと同様の構成要素を備えている。よって、以下では、それら同様の構成要素については共通の符号を付与するとともに、重複する説明を省略するものとする。
【００６３】
上記第１、第２実施形態では、一つの分割体１０Ａ，１１Ａに、接極子３に面する継鉄体の二つの端部５ａ，５ｂのうち一つの端部５ａのみと、接極子３を支持する継鉄（すなわち上側架橋部４）とを一体化させていたのに対し、本実施形態では、一つの分割体１２Ａに、二つの端部５ａ，５ｂを両方とも一体化させた点が、上記第１、第２実施形態とは相違している。
【００６４】
すなわち、本実施形態では、一つの分割体１２Ａを、一対の端壁部１２Ａａ，１２Ａａを相互に平行に配置し、その接極子３側の端部５ａ，５ｂ間に上側架橋部４を架設した構成とし、それら端壁部１２Ａａ，１２Ａａと上側架橋部４との境界部に、上記第２実施形態の突出部１１Ａｃと同様の突出部１２Ａｃを屈曲成形している。
【００６５】
もう一つの分割体１３Ｂは、下側架橋部に相当するもので、第１、第２実施形態の下側架橋部１０Ｂｂとほぼ同様の形状を有するが、他方の分割体１２Ａとの接続（結合）するための突起１３Ｂａをその両端に備える点が相違している。なお、本実施形態では、端壁部１２Ａａ，１２Ａａの接極子３とは反対側の端部に、矩形切欠状の係合凹部１２Ａｂを形成し、当該係合凹部１２Ａｂと突起１３Ｂａとを嵌合することで、二つの分割体１２Ａ，１３Ｂを一体化して継鉄体２２を組み立てている。
【００６６】
以上のように、本実施形態によれば、継鉄体２２をなす複数の分割体のうちいずれか一つ（本実施形態では分割体１２Ａ）に、接極子３に面する吸着部としての端部５ａ，５ｂの双方と接極子３を支持する継鉄としての上側架橋部４とを一体化させたため、複数の分割体１２Ａ，１３Ｂの組み立てに影響する寸法公差や組み付け誤差等の影響を排除することができるようになり、これら箇所をそれぞれ別個の部品に設定した場合に比べて、当該端部５ａ，５ｂと接極子３との姿勢のずれを小さくできすることができ、以て、当該ずれに伴う磁気的吸引力の低下を抑制して、接極子３の揺動姿勢をより確実に保持することができるようになる。
【００６７】
以上、本発明の好適な実施形態について説明したが、本発明は、上記実施形態には限定されず、種々の変形が可能である。
【００６８】
例えば、継鉄体は三つ以上の分割体から構成してもよいし、結合点も種々に設定することが可能である。
【００６９】
また、継鉄体の吸着部は、上記しない他の形状で形成してもよいし、両方の吸着部を上記起立部によって形成してもよいし、一方の吸着部は上記起立部によって形成し他方の吸着部は上記突出部によって形成してもよい。
【００７０】
また、吸着部をなす端部と、接極子の保持面とを同じ高さに形成してもよいし、永久磁石の着磁方向や、電磁コイルの通電方向等も適宜に変更可能である。
【００７１】
なお、接極子の端部とは、長手方向の端縁のみに限定するものではなく、揺動中心から離間した端部側位置であればよい。
【図面の簡単な説明】
【００７２】
【図１】本発明の第１実施形態にかかる電磁リレーの分解斜視図。
【図２】本発明の実施形態にかかる電磁リレーにおけるオン・オフの切り換えを示す模式図。
【図３】本発明の第１実施形態にかかる電磁リレーの複数の分割体が相互に傾いた姿勢で組み立てられた状態を示す図であって、（ａ）は、接極子の長手方向一方側から見た図、（ｂ）は、接極子の幅方向から見た図、（ｃ）は、接極子の長手方向他方側から見た図。
【図４】本発明の第２実施形態にかかる電磁リレーの分解斜視図。
【図５】本発明の第２実施形態にかかる電磁リレーを接極子の幅方向に見た模式図。
【図６】本発明の第３実施形態にかかる電磁リレーを接極子の幅方向に見た模式図。
【符号の説明】
【００７３】
１，１Ａ，１Ｂ  電磁リレー
２  永久磁石
３  接極子
４  上側架橋部（永久磁石による磁路を形成しかつ接極子を支持する継鉄）
５ａ，５ｂ  端部（吸着部）
７  電磁コイル
１０Ａ，１０Ｂ，１１Ａ，１２Ａ  分割体
１０Ａａ，１０Ｂａ，１１Ａａ，１２Ａａ  端壁部（電磁コイルによる磁路を形成する継鉄）
１０Ａｃ  起立部
１０Ｂｂ  下側架橋部（電磁コイルによる磁路を形成する継鉄，電磁コイルの軸心部分，棒状部）
１１Ａｃ，１２Ａｃ  突出部
１３Ｂ  分割体（下側架橋部，電磁コイルの軸心部分，棒状部）
２０，２１，２２  継鉄体
φ１，φ２  永久磁石による磁路
φ３  電磁コイルによる磁路
【図１】
0004760400.tif 000002
【図２】
0004760400.tif 000003
【図３】
0004760400.tif 000004
【図４】
0004760400.tif 000005
【図５】
0004760400.tif 000006
【図６】
0004760400.tif 000007